(57)【要約】【課題】ＥＭＣ特性が良く、光データリンクに取付けられたときに、スリーブ保持固定強度が高く、ＦＧ電位とＳＧ電位を分離可能なＯＳＡを提供する。【解決手段】ＯＳＡ１は、光モジュール３、フェルールＣが挿入されフェルールＣと光モジュール３を光結合するスリーブ部材２を備える。部材２は、フェルールＣ−光モジュール３間に光導波路を形成するスタブ８、光モジュール３への固定部を有しスタブ８を保持する導電性のスタブホルダ９、一方からフェルールＣが挿入され他方にスタブホルダ９に保持されたスタブ８を収容固定する絶縁性のスリーブ１０、スリーブ１０が貫通した形態でスリーブ１０に固定される導電性の取付け部材１１、を有し、スタブホルダ９と取付け部材１１が、スリーブ１０を間に挟み込み互いに電気的に絶縁された状態で固定されて構成される。ＯＳＡ１は、取付け部材１１により光データリンクに取付けられる。【選択図】図１
2009294419.tif 000002
【特許請求の範囲】
【請求項１】
光電変換モジュールと、光コネクタのフェルールが挿入され該フェルールと前記光電変換モジュールとを光結合するスリーブ部材とを備え、光データリンクに取付けられて用いられる光サブアセンブリであって、
前記スリーブ部材は、前記フェルールと前記光電変換モジュールとの間に光導波路を形成するスタブと、前記光電変換モジュールへの固定部を有し前記スタブを保持する導電性材料のスタブホルダと、一方から前記フェルールが挿入され他方に前記スタブホルダに保持された前記スタブを収容固定する絶縁性材料のスリーブと、前記スリーブが貫通した形態で当該スリーブに固定される導電性材料の取付け部材と、を有し、前記スタブホルダと前記取付け部材が、前記スリーブを間に挟み込み互いに電気的に絶縁された状態で固定されて構成され、
前記取付け部材により光データリンクに取付けられることを特徴とする光サブアセンブリ。
【請求項２】
前記スリーブは、セラミックス材料で形成されていることを特徴とする請求項１に記載の光サブアセンブリ。
【請求項３】
少なくとも、前記スタブと前記スタブホルダ、及び、前記スリーブと前記取付け部材は、圧入により固定されていることを特徴とする請求項１または２に記載の光サブアセンブリ。
【請求項４】
さらに前記スタブホルダと前記スリーブとが圧入により固定されており、前記スタブホルダと前記スリーブとの圧入箇所と、前記スリーブと前記取付け部材との圧入箇所とは、光軸方向に関して重複していることを特徴とする請求項３記載の光サブアセンブリ。
【請求項５】
さらに前記スタブと前記スリーブとが圧入により固定されており、前記スタブと前記スリーブとの圧入箇所と、前記スリーブと前記取付け部材との圧入箇所とは、光軸方向に関して重複していることを特徴とする請求項３記載の光サブアセンブリ。
【請求項６】
請求項１〜５のいずれかに記載の光サブアセンブリが取付けられた光データリンク。
【発明の詳細な説明】
【技術分野】
【０００１】
本発明は、光電変換モジュールにスリーブ部材が取付けられて成る光サブアセンブリ、特に、光通信用の光データリンクに用いられる光サブアセンブリ及び当該光サブアセンブリを備える光データリンクに関する。
【背景技術】
【０００２】
光サブアセンブリ（ＯＳＡ： Optical Sub-Assembly）は、光電変換機能を有する光電変換モジュール（光モジュール）に、当該光モジュールに対して光コネクタのフェルールを整列させるスリーブ部材が取付けられて成るものである。図５は、従来のＯＳＡ（例えば、特許文献１参照）の一例を示す断面図である。図５に示すＯＳＡ１００は、受信用光サブアセンブリ（ＲＯＳＡ：Receiving ＯＳＡ）であって、受光素子１０１を有する光モジュール１０２とスリーブ部材１０３とがジョイントスリーブ（Ｊスリーブ）１０４を介して接続されて成る。
【０００３】
スリーブ部材１０３は、接続される光ファイバからの光を光モジュール１０２に導くスタブ１０５、及び、接続される光コネクタのフェルールＣとスタブ１０５とを保持する非金属（セラミック）製のスリーブ１０６を有している。また、スリーブ部材１０３は、スタブ１０５とスリーブ１０６とが固定される金属製のホルダ１０７を有しており、このホルダ１０７がＪスリーブ１０４を介して光モジュール１０２と接続されている。
【０００４】
ＯＳＡ１００は、スリーブ１０６の材料をセラミックとすることによって、電磁波の放射や受信をしやすくするアンテナ効果を抑えて、当該ＯＳＡ１００及びこれを用いた光データリンクのＥＭＩ（Electro-Magnetic Interference）特性、ＥＭＳ（Electro-Magnetic Susceptibility）特性を改善するようにしている。また、ＯＳＡ１００に接続される光コネクタの内部金属部品と光モジュール１０２とをセラミックで距離を保つことにより、光モジュール１０２の受光素子１０１等が光コネクタにおける静電気放電の影響を受けないようにしている。
【０００５】
このようなＯＳＡを用いる光データリンクは、光コネクタが挿入される光レセプタクル部を備え、その後方部分に、ＯＳＡの光モジュールや回路基板等が収納される本体部を備える。光データリンクでは、筐体を構成する隔壁によって光レセプタクル部と本体部とが隔てられおり、この隔壁には、ＯＳＡを取付けるための取付孔が形成されている。
【０００６】
特許文献１には、光データリンクの隔壁の取付孔への図５のＯＳＡ１００の搭載方法に関して、図６または図７に示すものが開示されている。
図６に示す方法では、ＯＳＡ１００のホルダ１０７の周囲に絶縁性保持部材１０８を設け、絶縁性保持部材１０８を光データリンクの隔壁Ｗの取付孔Ｗ１に保持させることで、ＯＳＡ１００は、ホルダ１０７と光データリンクの筐体とが電気接続されていない状態で、当該筐体内に取付けられている。一般的にホルダ１０７はＪスリーブ１０４を介して光モジュール１０２と接続されており、光モジュール１０２のケース電位はシグナルグラウンド電位となるため、ホルダ１０７もシグナルグラウンド（ＳＧ:Signal Ground）電位になる。また、光データリンクの筐体はフレームグラウンド（ＦＧ：Frame Ground）電位になる。上記の方法によれば、これらの両グラウンド電位を分離することができるようになっている。
【０００７】
また、図７に示す方法では、ＯＳＡ１００のスリーブ１０６の周囲に絶縁性保持部材１０９を設け、この絶縁性保持部材１０９を光データリンクの隔壁Ｗの取付孔Ｗ１に保持させることにより、ＯＳＡ１００は、ホルダ１０７と光データリンクの筐体とが電気接続されていない状態で、当該筐体内に取付けられている。この方法によっても、ＳＧ電位とＦＧ電位とを分離することができるようになっている。
【特許文献１】特開２００６−１０６６８０号公報
【発明の開示】
【発明が解決しようとする課題】
【０００８】
しかし、図５のＯＳＡ１００では、その構造に起因して、図６に示した方法で光データリンクに搭載した際に、以下の課題がある。すなわち、光データリンクに取付けられたＯＳＡ１００に光コネクタが接続され、当該コネクタに光軸と垂直な方向への荷重（Wiggle荷重）が加わると、スリーブ１０６に挿入された光コネクタのフェルールＣに光軸と垂直な方向への力Ｆが加わる。その際、絶縁性保持部材１０８を介してホルダ１０７が隔壁Ｗに固定されているため、フェルールＣを介してスリーブ１０６に力が加わり、ホルダ１０７のスリーブ１０６の固定部の樹脂接着部に力が加わる。そうすると、ＯＳＡ１００ではホルダ１０７とスリーブ１０６の接着しろが少ないため接着固定部分の破断が生じてしまい、また、スリーブ１０６のズレも生じてしまう。その結果、光コネクタのフェルールＣとスタブ１０５のシングルモード光ファイバ同士の軸ずれが生じてしまい、光結合効率が悪化してしまう。
【０００９】
また、図５のＯＳＡ１００では、図７に示した方法で光データリンクに搭載した際に、スリーブ１０６の直径ｌ１に相当する部分に加えて絶縁性保持部材１０９のほぼ厚みｌ２に相当する部分が、ＯＳＡ１００内の回路部等が発生する電磁波に関して開口（電磁的な開口）となってしまう。その結果、例えば、最近行われている１０Ｇｂｐｓといった高速伝送においては、電磁波遮断効果が低下してしまう。
【００１０】
本発明は、上述のような実情に鑑みてなされたもので、光モジュールにスリーブ部材が取付けられて成る光サブアセンブリであって、ＥＭＣ（Electro-Magnetic Compatibility）特性が良く、光データリンクに取付けられたときに、スリーブ保持固定強度が高く、フレームグラウンド電位とシグナルグラウンド電位を分離することができるものを提供することを目的とする。
【課題を解決するための手段】
【００１１】
上記課題を解決するために、本発明の光サブアセンブリは、光電変換モジュールと、光コネクタのフェルールが挿入されそのフェルールと光電変換モジュールとを光結合するスリーブ部材とを備え、光データリンクに取付けられて用いられるものであって、スリーブ部材は、フェルールと光電変換モジュールとの間に光導波路を形成するスタブと、光電変換モジュールへの固定部を有しスタブを保持する導電性材料のスタブホルダと、一方からフェルールが挿入され他方にスタブホルダに保持されたスタブを収容固定する絶縁性材料のスリーブと、スリーブが貫通した形態で当該スリーブに固定される導電性材料の取付け部材と、を有し、スタブホルダと取付け部材が、スリーブを間に挟み込み互いに電気的に絶縁された状態で固定されて構成され、取付け部材により光データリンクに取付けられることを特徴とする。
【００１２】
また、スリーブが、セラミックス材料で形成されていることが好ましい。また、少なくとも、スタブとスタブホルダ、及び、スリーブと取付け部材が、圧入により固定されていることも好ましい。
なお、さらにスタブホルダとスリーブとが圧入により固定されており、スタブホルダとスリーブとの圧入箇所と、スリーブと取付け部材との圧入箇所とは、光軸方向に関して重複していてもよい。これに代わって、さらにスタブとスリーブとが圧入により固定されており、スタブとスリーブとの圧入箇所と、スリーブと取付け部材との圧入箇所とは、光軸方向に関して重複していてもよい。
なお、本発明は、上記光サブアセンブリが取付けられた光データリンクとすることもできる。
【発明の効果】
【００１３】
本発明の光サブアセンブリによれば、スリーブ部材のスリーブを絶縁性材料で形成し、スタブホルダと取付け部材とをスリーブ部材で電気的に絶縁したので、ＥＭＣ特性が良好になり、また、光データリンクに取付けられたときに、フレームグラウンド電位とシグナルグラウンド電位を分離することができる。また、取付け部材が、当該取付け部材に貫通された状態でスリーブを保持するので、本発明の光サブアセンブリは、光データリンクに取付けられたときに、スリーブ保持固定強度が高い。
【発明を実施するための最良の形態】
【００１４】
本発明の光サブアセンブリ（ＯＳＡ）は、例えば、発光素子としてのレーザダイオード（ＬＤ：Laser Diode）を備える送信用光サブアセンブリ（ＴＯＳＡ：Transmitting ＯＳＡ）や、受光素子としてのフォトダイオード（ＰＤ：Photo Diode）を備える受信用光サブアセンブリ（ＲＯＳＡ）として構成される。以下では、本発明のＯＳＡについて、ＴＯＳＡとして構成した例で説明する。なお、本明細書では、図における光軸Ｏ方向に関して後述のスリーブ１０の開口１０ｃが形成されている側を上側とする。
【００１５】
図１は、本発明のＴＯＳＡの一例の概略を説明する断面図である。
ＴＯＳＡ１は、例えば、図示するように、光コネクタのフェルールＣをガイドし後述の光モジュールに対して当該フェルールＣを整列させるスリーブ部材２と、電気信号を光信号に変換しスリーブ部材２に挿入されるフェルールＣ内の光ファイバＣ１へ送信する光モジュール３と、スリーブ部材２と光モジュール３を連結するジョイントスリーブ（Ｊスリーブ）４を備える。
ＴＯＳＡ１は、スリーブ部材２の構造に特徴があるものであるが、スリーブ部材２の説明の前に、光モジュール３及びＪスリーブ４について説明する。
【００１６】
光モジュール３は、例えば、ステム５、レンズキャップ６、ＬＤ７を有する。
ステム５は、レンズキャップ６と共にＣＡＮパッケージを構成しており、ＬＤ７を搭載する台座部５ａと、後述のリードピン５ｂと、これらリードピン５ｂを支持するベース５ｃとを有する。少なくともリードピン５ｂやベース５ｃは、導電性材料（例えば、コバールや鉄ニッケル合金といった金属材料）で形成される。リードピン５ｂは、それぞれベース５ｃに実装され、ＴＯＳＡ１が搭載される光データリンクの回路基板と電気的に接続される。リードピン５ｂのうち少なくとも一本のケースリードは、一端が抵抗溶接等によりベース５ｃと直接接続され、他端が上記回路基板上のシグナルグラウンド（ＳＧ）となるパッドに接続されており、ベース５ｃ等の電位をＳＧ電位にしている。他のリードピン５ｂは、上記回路基板からＬＤ７に信号を供給したりするものであり、ベース５ｃと絶縁されるようにガラス封止されている。
【００１７】
レンズキャップ６は、ＬＤ７からの光を後述のスタブの光ファイバに集光するレンズ６ａと、レンズ６ａを保持するキャップシェル６ｂを有する。キャップシェル６ｂは、導電性材料（例えば、鉄ニッケル合金やステンレスなどの金属材料）で形成されるものであって、その上部中央に開口６ｃを有する。開口６ｃには、レンズ６ａが低融点ガラスなどを用いてガラス封止された状態で固定される。キャップシェル６ｂの下端は、ステム５のベース５ｃに抵抗溶接にて固定される。
ＬＤ７は、レンズ６ａを介して外部に光信号を送信するものであり、ステム５とレンズキャップ６で形成される空間部分に存在するステム５の台座部５ａ上に搭載される。
【００１８】
Ｊスリーブ４は、上面４ａが平坦になるように導電性材料（例えば、ステンレスなどの金属材料）で形成される。この上面４ａと、スリーブ部材２の後述するスタブホルダ（のフランジ）の下端面と、をＹＡＧ溶接することにより、スリーブ部材２をＪスリーブ４に固定することができる。スリーブ部材２を固定する前にスタブホルダの下端面をＪスリーブ４の上面４ａ上でスライドさせることにより、スリーブ部材２が有するスタブの光ファイバ（すなわち光コネクタのフェルールの光ファイバ）とＬＤ７との間の、ＴＯＳＡ１の中心軸と垂直な面内での光学的調芯を行うことが可能となっている。さらに、Ｊスリーブ４の上面４ａには、ＬＤ７からの光が通る開口４ｂが形成されている。
【００１９】
また、Ｊスリーブ４は、光モジュール３を保持固定する光モジュール保持部４ｃを有する。光モジュール３を固定する前に、レンズキャップ６に対してＪスリーブ４を軸方向にスライドさせることによって、スリーブ部材２のスタブの光ファイバとレンズ６ａ（すなわちＬＤ７）との距離を調整することができる。Ｊスリーブ４の光モジュール保持部４ｃでの光モジュール３の固定は、ＹＡＧ溶接により行われる。
このように、ＴＯＳＡ１においては、スリーブ部材２とＪスリーブ４、及び、Ｊスリーブ４と光モジュール３は、それぞれＹＡＧ溶接を用いて、高精度・高強度で位置決め固定される。
【００２０】
続いて、本発明の特徴部にかかるスリーブ部材２について、図２を用い、図１を参照して、説明する。図２は、本発明に係るスリーブ部材の一例を示す断面図である。
スリーブ部材２は、スタブ８、スタブホルダ９、スリーブ１０、取付け部材１１を有する。スリーブ部材２は、スタブ８とスタブホルダ９とを圧入固定した後、スタブホルダ９とスリーブ１０とを圧入固定し、最後にスリーブ１０の最外周に取付け部材１１を圧入固定することにより形成される。
【００２１】
スタブ８は、光コネクタのフェルールＣの光ファイバＣ１とＬＤ７とを光結合させるためのものであって、ジルコニア等で形成される。スタブ８は、円柱状に形成され、その中心部に、光軸Ｏ方向に沿って伸びる光導波路として光ファイバ８ａが挿入されている。また、その上側の端面８ｂは、スリーブ１０に挿入される光コネクタのフェルールＣと物理接触（ＰＣ：Physical Contact）を果たすことができるように、凸面状に加工されている。
【００２２】
スタブホルダ９は、スタブ８を保持するもので、導電性材料（例えば、ステンレス等の金属材料）により略円筒状に形成される。スタブホルダ９の下側端部には、フランジ部９ａが設けられており、このフランジ部９ａは、フランジ部９ａの下面９ｂとＪスリーブ４の上面４ａとを固定することによりスリーブ部材２が光モジュール３に対して位置決め固定される本発明の「固定部」になっている。また、スタブホルダ９には、下側の開口９ｃから光軸Ｏに沿って伸びるスタブ収容孔９ｄが設けられており、スタブホルダ９は、スタブ収容孔９ｄへの圧入固定により、スタブ８を保持している。
【００２３】
スリーブ１０は、光コネクタのフェルールＣをガイドするものであって、絶縁性材料により略円筒状に形成される。この絶縁性材料としては、高精度加工性、高強度性を考慮すると、セラミックスが好ましく、特にジルコニアが好ましい。スリーブ１０には、下側の開口１０ａから光軸Ｏに沿ってスタブホルダ９の光軸Ｏ方向の長さ程度伸びる、スタブホルダ収容部１０ｂが設けられている。このスタブホルダ収容部１０ｂは、スタブ８が固定されたスタブホルダ９を収容し、圧入固定により保持している（すなわち当該スタブホルダ９を収容固定している）。
【００２４】
また、スリーブ１０には、上側の開口１０ｃから光軸Ｏに沿ってスタブホルダ収容部１０ｂまで伸びるフェルール挿入孔１０ｄが設けられており、このフェルール挿入孔１０ｄは、フェルールＣを受容し固定すると共に、下側には、スタブ収容孔９ｄに固定されるスタブ８の上部も収容されるようになっている。このようにして、スリーブ１０は、スタブホルダ９に保持されたスタブ８を収容固定している。なお、スリーブ１０の上側の開口１０ｃの近傍に位置する部分は、開口１０ｃから挿入されるフェルールＣをフェルール挿入孔に導くためにテーパ加工されている。
【００２５】
このような構成により、ＴＯＳＡ１において、フェルールＣがスリーブ１０の上側の開口１０ｃからスリーブ１０のフェルール挿入孔１０ｄへと挿入されると、フェルールＣの中心軸上にある光ファイバＣ１の下方の端面と、スタブホルダ９のスタブ収容孔９ｄ及び上記フェルール挿入孔１０ｄへ収容されているスタブ８の中心軸上にある光ファイバ８ａの上方の端面と、が物理的に接触する。これにより、スリーブ部材２において位置決め固定され光接続用に設けられたスタブ８の光ファイバ８ａと、光接続の対象であるフェルールＣの光ファイバＣ１とが光結合する。
なお、スタブ８の光ファイバ８ａは、光モジュール３（すなわちＬＤ７）に対する位置決めが上記光学的調芯により行われている。したがって、フェルールＣの光ファイバＣ１とスタブ８の光ファイバ８ａとが光結合することにより、フェルールＣの光ファイバＣ１と光モジュール３のＬＤ７とが、スタブ８の光ファイバ８ａを介して光結合することになる。
【００２６】
次に、取付け部材１１に関して説明する。
取付け部材１１は、ＴＯＳＡ１（のスリーブ１０）を光データリンクに対して取付けるためのものであり、例えば、ステンレス等の金属材料である導電性材料により略円筒状に形成される。取付け部材１１は、上下にフランジ１１ａを有し、ＴＯＳＡ１は、この一対のフランジ１１ａの間に、光データリンクの筐体の隔壁を挟み込んだ状態で、光データリンクに取付けられ固定される。また、取付け部材１１には、光軸Ｏに沿って伸びるスリーブ挿入孔１１ｂが設けられ、取付け部材１１は、スリーブ１０がスリーブ挿入孔１１ｂを貫通した形態で、圧入固定によりスリーブ１０に固定される。
【００２７】
従来の技術において、図６の絶縁性保持部材１０８及びホルダ１０７が、ＴＯＳＡ１における取付け部材１１に相当するものとなる。これを考慮すると、従来の光データリンクは、取付け部材の一部（ホルダ１０７の端部）でＴＯＳＡのスリーブを保持していたような形態であったのに対し、本発明による光データリンクは、スリーブ１０が取付け部材１１を貫通しているので、取付け部材１１の全体（内周面全体）でスリーブ１０を保持するような形態になっていると言える。つまりは、ＴＯＳＡ１を光データリンクに搭載した状態で、ＴＯＳＡに接続された光コネクタにWiggle荷重が加わり当該コネクタのフェルールに負荷が加わったとしても、取付け部材１１でのスリーブ保持面積が大きく保持固定強度が大きいため、フェルールＣとスタブ８の軸ずれは生じず、光結合ロスは発生しないのである。
【００２８】
また、取付け部材１１は、ＳＧ電位となるスタブホルダ９との間に空間が設けられ、絶縁性材料からなるスリーブ１０により隔てられており、当該ホルダ９と電気的に絶縁されている。すなわち、取付け部材１１とスタブホルダ９は、両部材間の電気的絶縁を確保するために、互いに所定のクリアランスを保持した状態となっている。
【００２９】
図３は、図１のＴＯＳＡ１を搭載した光データリンク（プラガブル光トランシーバ等の光リンクモジュール）Ｄに光コネクタＫを挿入した状態を示す断面図である。
【００３０】
ＴＯＳＡ１は、取付け部材１１のフランジ１１ａによって形成される溝部に、光データリンクＤの筐体Ｐの隔壁Ｗの取付孔Ｗ１が位置するように、光データリンクＤに搭載される。導電性材料からなる上記筐体Ｐがフレームグラウンド（ＦＧ）に接地されているため、導電性材料からなるＴＯＳＡ１の取付け部材１１は、ＦＧに接地される。また、スタブホルダ９、Ｊスリーブ４並びに光モジュール３のキャップシェル６ｂ及びベース５ｃが導電性材料からなり、スタブホルダ９とＪスリーブ４、及び、Ｊスリーブ４とキャップシェル６ｂがＹＡＧ溶接で固定され、キャップシェル６ｂとベース５ｃが抵抗溶接により固定されるため、スタブホルダ９は、上述のようにＳＧ電位となるベース５ｃと、同電位となる。
【００３１】
このように、ＴＯＳＡ１は、光データリンクＤに搭載された状態において、取付け部材１１がＦＧ電位となり、スタブホルダ９がＳＧ電位となるが、取付け部材１１とスタブホルダ９とを絶縁しているので、ＦＧ電位とＳＧ電位を分離することができる。したがって、例えば、ＴＯＳＡ１を搭載の光データリンクＤが用いられたホスト装置では、当該装置に生じたノイズが、光データリンクＤ内の回路基板に伝わることがないので、静電放電（ＥＳＤ：Electro-static Discharge）によって回路が故障することがない。
【００３２】
上述のように、ＴＯＳＡ１は、光データリンクＤに搭載された状態において、スリーブ部材２の取付け部材１１が接地されるので、その取付け部材１１が電磁波遮断効果を有する。そのため、ＴＯＳＡ１を用いた光データリンクＤでは、電磁的な開口の大きさがスリーブ１０の直径（図８（Ｂ）のＬ１に相当）まで小さくなるので、従来のものに比べ、電磁波遮断効果を確保することができる。
【００３３】
また、ＴＯＳＡ１では、光データリンクＤに搭載された状態において筐体Ｐ外に露出するスリーブ１０が絶縁性材料で形成されている。そのため、ＴＯＳＡ１では、このスリーブ１０が、ＴＯＳＡ１内部からの電磁ノイズを外部へと放射するアンテナとして機能することが防止される。
【００３４】
また、スリーブ部材２では、スタブホルダ９とスリーブ１０の圧入箇所と、スリーブ１０と取付け部材１１の圧入箇所が、光軸方向に関して重複するようになっている。このように、圧入固定箇所を重複させることにより、スリーブ部材２の全長（すなわちＴＯＳＡ１の全長）を短くすることができる。
なお、スリーブ部材２のスリーブ１０を形成するための材料として、ジルコニアを用い、スタブホルダ９等の材料として、ステンレスを用いると、両材料は線膨張率が近い（ともに約１１ppm/degC）ため、スリーブ部材２すなわちＴＯＳＡ１において、高温度範囲において安定した圧入保持力を確保することができる。
【００３５】
本発明のＯＳＡは、スリーブ部材に特徴があるものであるが、スリーブ部材の構造は上述のものに限定されず、例えば、図４に示すようなものであってもよい。図４は、本発明に係るスリーブ部材の他の例を示す断面図である。
【００３６】
図４のスリーブ部材２０は、スタブ２１、スタブホルダ２２、スリーブ２３及び取付け部材２４を有する。これら構成部分の基本的な機能及びその形成に用いられる材料は、図２のものと同様である。スリーブ部材２０は、スタブ２１とスタブホルダ２２とを圧入固定した後、スタブ２１のスタブホルダ２２から突出した部分とスリーブ２３とを圧入固定し、さらに、スリーブ２３と取付け部材２４とを圧入固定することにより形成される。
【００３７】
スタブ２１は、図２のものと同様に、略円筒状であり、その中心部に光ファイバ２１ａが挿入され、その上側の端面２１ｂは、凸面状に加工されている。
スタブホルダ２２は、略円筒状であり、その下側端部には、本発明の「固定部」となるフランジ部２２ａが設けられている。また、スタブホルダ２２には、下側の開口２２ｃから光軸Ｏに沿って、スタブ２１の光軸Ｏ方向の長さの半分程度伸びるスタブ収容孔２２ｄが設けられ、このスタブ収容孔２２ｄは圧入固定によりスタブ２１を保持している。
スリーブ２３は、略円筒状に形成されており、上側の開口２３ａから光軸Ｏに沿って伸びるフェルール挿入孔２３ｂが設けられている。フェルール挿入孔２３ｂはフェルールを収容し固定すると共に、その下側では、スタブ２１のスタブホルダ２２に収容固定されていない部分を圧入固定により保持している。
【００３８】
また、スリーブ部材２０の取付け部材２４は、図２のものと同様に、略円筒状に形成され、上下にフランジ２４ａを有している。また、取付け部材２４には、光軸Ｏに沿って伸びるスリーブ挿入孔２４ｂが設けられている。また、取付け部材２４は、絶縁性材料からなるスリーブ２３により隔てられており、スタブホルダ２２と電気的に絶縁されている。
【００３９】
スリーブ部材２０を有するＴＯＳＡでは、以上のような構造により、ＥＭＣ特性が良く、また、光データリンクに取付けられた状態において、スリーブ保持固定強度が高く、ＦＧ電位とＳＧ電位を分離することができる。また、スリーブ部材２０では、スタブ２１とスリーブ２３の圧入箇所と、スリーブ２３と取付け部材２４の圧入箇所が、光軸方向に関して重複するようになっている。このように、圧入固定箇所を重複させることにより、スリーブ部材２０の全長を短くすることができる。
なお、スリーブ部材２０は、スリーブ２３の形状を円筒形状に単純化できるため、図２のものより、さらに部品コストを削減できる。
【図面の簡単な説明】
【００４０】
【図１】本発明のＴＯＳＡの一例の概略を説明する断面図である。
【図２】本発明に係るスリーブ部材の一例を示す断面図である。
【図３】図１のＴＯＳＡを搭載した光データリンクに光コネクタを挿入した状態を示す断面図である。
【図４】本発明に係るスリーブ部材の他の例を示す断面図である。
【図５】従来のＯＳＡの一例を示す断面図である。
【図６】光データリンクの隔壁の取付孔への図５のＯＳＡの搭載方法を説明する図である。
【図７】光データリンクの隔壁の取付孔への図５のＯＳＡの他の搭載方法を説明する図である。
【符号の説明】
【００４１】
１…ＴＯＳＡ、２…スリーブ部材、３…光モジュール、４…Ｊスリーブ、５…ステム、５ｂ…リードピン、６…レンズキャップ、６ａ…レンズ、６ｂ…キャップシェル、７…ＬＤ、８…スタブ、８ａ…光ファイバ、９…スタブホルダ、９ａ…フランジ部、１０…スリーブ、１１…取付け部材、１１ａ…フランジ、２０…スリーブ部材、２１…スタブ、２１ａ…光ファイバ、２２…スタブホルダ、２２ａ…フランジ部、２３…スリーブ、２４…取付け部材、２４ａ…フランジ。
【図１】
2009294419.tif 000003
【図２】
2009294419.tif 000004
【図３】
2009294419.tif 000005
【図４】
2009294419.tif 000006
【図５】
2009294419.tif 000007
【図６】
2009294419.tif 000008
【図７】
2009294419.tif 000009